(57)【要約】【課題】挿抜可能なプログラム起動用記録媒体に記録されたプログラムの安全性を確保しつつ、プログラム起動用記録媒体にプログラムを追加できる情報処理装置，画像形成装置，プログラム追加方法を提供することを目的とする。【解決手段】プログラム追加用記録媒体１４０を用いてプログラム起動用記録媒体１４１にプログラムを追加する情報処理装置であって、スロット１１０へのプログラム追加用記録媒体１４０の挿入を判定する判定手段と、プログラム追加用記録媒体１４０の挿入があったと判定すると、プログラム起動用記録媒体１４１の識別情報を取得してサーバ１５０に送信する一方、ファイルをサーバ１５０から受信すると、そのファイルの認証チェックの結果に応じて、受信したファイルをプログラム起動用記録媒体１４１に追加する追加手段１３３とを有することにより、上記課題を解決する。【選択図】          図６
2004287839.tif 000002
【特許請求の範囲】
【請求項１】
複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する情報処理装置であって、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルを作成するサーバに送信する一方、
前記プログラム起動用記録媒体にプログラムを追加するためのファイルを前記サーバから受信すると、そのファイルの認証チェックの結果に応じて、前記受信したファイルをプログラム起動用記録媒体に追加する追加手段と
を有することを特徴とする情報処理装置。
【請求項２】
複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する情報処理装置であって、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、
前記プログラム起動用記録媒体にプログラムを追加するためのファイルの一部を前記サーバから受信すると、前記プログラム追加用記録媒体から前記プログラム起動用記録媒体にプログラムを追加するためのファイルの一部を読み出し、前記サーバ又はプログラム追加用記録媒体から取得したファイルの認証チェックの結果に応じて、前記取得したファイルをプログラム起動用記録媒体に追加する追加手段と
を有することを特徴とする情報処理装置。
【請求項３】
複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する情報処理装置であって、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、
前記プログラム起動用記録媒体にプログラムを追加するためのファイルの一部を前記サーバから受信すると、前記プログラム起動用記録媒体から前記プログラム起動用記録媒体にプログラムを追加するためのファイルの一部を読み出し、前記サーバ又はプログラム起動用記録媒体から取得したファイルの認証チェックの結果に応じて、前記取得したファイルをプログラム起動用記録媒体に追加する追加手段と
を有することを特徴とする情報処理装置。
【請求項４】
前記判定手段は、前記スロットに対する記録媒体の挿抜を監視する監視手段と、
前記スロットに挿入された記録媒体がプログラム追加用記録媒体であるかを判定するための認証チェックを行う認証チェック手段と
を有することを特徴とする請求項１乃至３何れか一項記載の情報処理装置。
【請求項５】
前記認証チェック手段は、設定ファイルと、設定ファイルおよびプログラム追加用記録媒体の識別情報から作成された第１の電子署名ファイルと、前記書込手段を起動させるためのプログラムと、そのプログラムおよび前記情報処理装置の識別情報から作成された第２の電子署名ファイルとをプログラム追加用記録媒体から読み出し、設定ファイルおよび前記書込手段を起動させるためのプログラムの認証チェックを行うことを特徴とする請求項４記載の情報処理装置。
【請求項６】
前記追加手段は、前記スロットへのプログラム追加用記録媒体の挿入があったと判定されたとき、前記判定手段からの指示によりプログラム追加用記録媒体から読み出されて起動されることを特徴とする請求項１乃至３何れか一項記載の情報処理装置。
【請求項７】
前記追加手段は、前記情報処理装置の入力装置を利用したオペレータからの指示があったとき、プログラム追加用記録媒体から読み出されて起動されることを特徴とする請求項１乃至３何れか一項記載の情報処理装置。
【請求項８】
前記追加手段は、設定ファイルと、設定ファイルおよびプログラム起動用記録媒体の識別情報から作成された第１の電子署名ファイルと、プログラム起動用記録媒体に追加するプログラムと、そのプログラムおよび前記情報処理装置の識別情報から作成された第２の電子署名ファイルとをプログラム追加用記録媒体から読み出し、設定ファイルおよびプログラム起動用記録媒体に追加するプログラムの認証チェックを行うことを特徴とする請求項１記載の情報処理装置。
【請求項９】
前記追加手段は、設定ファイルおよびプログラム起動用記録媒体の識別情報から作成された第１の電子署名ファイルを前記サーバから受信する一方、設定ファイルと、プログラム起動用記録媒体に追加するプログラムと、そのプログラムおよび前記情報処理装置の識別情報から作成された第２の電子署名ファイルとをプログラム追加用記録媒体から読み出し、設定ファイルおよびプログラム起動用記録媒体に追加するプログラムの認証チェックを行うことを特徴とする請求項２記載の情報処理装置。
【請求項１０】
前記追加手段は、設定ファイルおよびプログラム起動用記録媒体の識別情報から作成された第１の電子署名ファイルを前記サーバから受信する一方、設定ファイルと、プログラム起動用記録媒体に追加するプログラムと、そのプログラムおよび前記情報処理装置の識別情報から作成された第２の電子署名ファイルとをプログラム起動用記録媒体から読み出し、設定ファイルおよびプログラム起動用記録媒体に追加するプログラムの認証チェックを行うことを特徴とする請求項３記載の情報処理装置。
【請求項１１】
前記プログラム追加用記録媒体に記録されているファイルを利用する代わりに、サーバから受信したファイルを利用することを特徴とする請求項１乃至１０何れか一項記載の情報処理装置。
【請求項１２】
プログラム追加用記録媒体およびプログラム起動用記録媒体は、活線挿抜可能であることを特徴とする請求項１乃至１０何れか一項記載の情報処理装置。
【請求項１３】
複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する画像形成装置であって、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルを作成するサーバに送信する一方、
前記プログラム起動用記録媒体にプログラムを追加するためのファイルを前記サーバから受信すると、そのファイルの認証チェックの結果に応じて、前記受信したファイルをプログラム起動用記録媒体に追加する追加手段と
を有することを特徴とする画像形成装置。
【請求項１４】
複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する画像形成装置であって、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、
前記プログラム起動用記録媒体にプログラムを追加するためのファイルの一部を前記サーバから受信すると、前記プログラム追加用記録媒体から前記プログラム起動用記録媒体にプログラムを追加するためのファイルの一部を読み出し、前記サーバ又はプログラム追加用記録媒体から取得したファイルの認証チェックの結果に応じて、前記取得したファイルをプログラム起動用記録媒体に追加する追加手段と
を有することを特徴とする画像形成装置。
【請求項１５】
複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する画像形成装置であって、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、
前記プログラム起動用記録媒体にプログラムを追加するためのファイルの一部を前記サーバから受信すると、前記プログラム起動用記録媒体から前記プログラム起動用記録媒体にプログラムを追加するためのファイルの一部を読み出し、前記サーバ又はプログラム起動用記録媒体から取得したファイルの認証チェックの結果に応じて、前記取得したファイルをプログラム起動用記録媒体に追加する追加手段と
を有することを特徴とする画像形成装置。
【請求項１６】
プログラム追加用記録媒体およびプログラム起動用記録媒体は、活線挿抜可能であることを特徴とする請求項１３乃至１５何れか一項記載の画像形成装置。
【請求項１７】
プログラム追加用記録媒体を作成するサーバと、プログラム追加用記録媒体を用いてプログラム起動用記録媒体にプログラムを追加する情報処理装置とを有するシステムのプログラム追加方法であって、
前記情報処理装置が、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルを作成するサーバに送信する一方、
前記プログラム起動用記録媒体にプログラムを追加するためのファイルを前記サーバから受信すると、そのファイルの認証チェックの結果に応じて、前記受信したファイルをプログラム起動用記録媒体に追加する追加手段と
を有することを特徴とするプログラム追加方法。
【請求項１８】
プログラム追加用記録媒体を作成するサーバと、プログラム追加用記録媒体を用いてプログラム起動用記録媒体にプログラムを追加する情報処理装置とを有するシステムのプログラム追加方法であって、
前記情報処理装置が、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、
前記プログラム起動用記録媒体にプログラムを追加するためのファイルの一部を前記サーバから受信すると、前記プログラム追加用記録媒体から前記プログラム起動用記録媒体にプログラムを追加するためのファイルの一部を読み出し、前記サーバ又はプログラム追加用記録媒体から取得したファイルの認証チェックの結果に応じて、前記取得したファイルをプログラム起動用記録媒体に追加する追加手段と
を有することを特徴とするプログラム追加方法。
【請求項１９】
プログラム追加用記録媒体を作成するサーバと、プログラム追加用記録媒体を用いてプログラム起動用記録媒体にプログラムを追加する情報処理装置とを有するシステムのプログラム追加方法であって、
前記情報処理装置が、
前記スロットへのプログラム追加用記録媒体の挿入を判定する判定手段と、
前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、
前記プログラム起動用記録媒体にプログラムを追加するためのファイルの一部を前記サーバから受信すると、前記プログラム起動用記録媒体から前記プログラム起動用記録媒体にプログラムを追加するためのファイルの一部を読み出し、前記サーバ又はプログラム起動用記録媒体から取得したファイルの認証チェックの結果に応じて、前記取得したファイルをプログラム起動用記録媒体に追加する追加手段と
を有することを特徴とするプログラム追加方法。
【請求項２０】
プログラム追加用記録媒体およびプログラム起動用記録媒体は、活線挿抜可能であることを特徴とする請求項１７乃至１９何れか一項記載のプログラム追加方法。
【発明の詳細な説明】
【０００１】
【発明の属する技術分野】
本発明は、情報処理装置，画像形成装置，プログラム追加方法に係り、特にプログラム追加用モジュールを用いてプログラム起動用記録媒体にプログラムを追加する情報処理装置，画像形成装置，プログラム追加方法に関する。
【０００２】
【従来の技術】
パソコン等の情報処理装置は、情報処理にそれぞれ対応する１つ以上のプログラムを実行させることで様々な情報処理を行わせるものである。また、情報処理装置の応用例としての画像形成装置（以下、融合機という）は、１つの筐体内に表示部，印刷部および撮像部などを設けると共に、プリンタ，コピー，ファクシミリおよびスキャナにそれぞれ対応する４種類のプログラムを設け、そのプログラムを切り替えることより、プリンタ，コピー，ファクシミリおよびスキャナとして動作させるものである。特許文献１には、上記のような融合機の一例が記載されている。
【０００３】
このような情報処理装置や融合機は、電源投入後に、ＢＩＯＳ（Ｂａｓｉｃ  Ｉｎｐｕｔ／Ｏｕｔｐｕｔ  Ｓｙｓｔｅｍ）およびブートローダ（Ｂｏｏｔ  Ｌｏａｄｅｒ）が起動する。ブートローダは、オペレーティングシステム（ＯＳ）およびルートファイルシステムをＲＡＭ（Ｒａｎｄｏｍ  Ａｃｃｅｓｓ  Ｍｅｍｏｒｙ  ）上に展開してＯＳを起動する。そして、ＯＳはルートファイルシステムをマウントする。ここでマウントとは、ファイルシステムや周辺機器などをアクセス可能な状態に起動することをいう。
【０００４】
ＯＳの起動後、アプリケーション（以下、アプリという）等のプログラムを起動する起動プログラムが起動される。起動プログラムは、情報処理装置や融合機で最初に起動されるプロセスである。
【０００５】
起動プログラムは、所定の設定ファイルに従ってファイルシステムをマウントし、ハードディスク装置（ＨＤＤ）やＳＤ（Ｓｅｃｕｒｅ  Ｄｉｇｉｔａｌ）カード等のプログラム起動用記録媒体に記録されている情報処理装置や融合機の動作に必要なプログラムを所定の設定ファイルに従って起動している。
【０００６】
近年、プログラム起動用記録媒体に、情報処理装置や融合機のプログラムを容易に追加したいという要求が増えている。
【０００７】
【特許文献１】
特開２００２−８４３８３号公報
【０００８】
【発明が解決しようとする課題】
しかしながら、ＳＤカードのように挿抜可能なプログラム起動用記録媒体はパソコン等で利用できるため、プログラム起動用記録媒体に記録されたプログラムの改竄や複製など、プログラムに対する不正が容易であった。
【０００９】
したがって、挿抜可能なプログラム起動用記録媒体では、プログラム起動用記録媒体に新たに追加したプログラムを、そのプログラムを追加する権利（ライセンス）のない情報処理装置や融合機に不正に追加されてしまう恐れがあった。
【００１０】
そこで、情報処理装置や融合機の挿抜可能なプログラム起動用記録媒体にプログラムを追加する場合、プログラム起動用記録媒体に記録されたプログラムが不正に利用されないような仕組みを設け、プログラムの安全性を確保しなければならないという問題があった。
【００１１】
本発明は、上記の点に鑑みなされたもので、挿抜可能なプログラム起動用記録媒体に記録されたプログラムの安全性を確保しつつ、プログラム起動用記録媒体にプログラムを追加できる情報処理装置，画像形成装置，プログラム追加方法を提供することを目的とする。
【００１２】
【課題を解決するための手段】
そこで、上記課題を解決するため、本発明は、複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する為に、前記スロットへのプログラム追加用記録媒体の挿入を判定する判定手段と、前記スロットへのプログラム追加用記録媒体の挿入があったと判定すると、プログラム起動用記録媒体の識別情報を取得して前記プログラム起動用記録媒体にプログラムを追加するためのファイルを作成するサーバに送信する一方、前記プログラム起動用記録媒体にプログラムを追加するためのファイルを前記サーバから受信すると、そのファイルの認証チェックの結果に応じて、前記受信したファイルをプログラム起動用記録媒体に追加する追加手段とを有することを特徴とする。
【００１３】
また、本発明は、複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する為に、前記スロットへのプログラム追加用記録媒体の挿入を判定する判定手段と、前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、前記プログラム起動用記録媒体にプログラムを追加するためのファイルの一部を前記サーバから受信すると、前記プログラム追加用記録媒体から前記プログラム起動用記録媒体にプログラムを追加するためのファイルの一部を読み出し、前記サーバ又はプログラム追加用記録媒体から取得したファイルの認証チェックの結果に応じて、前記取得したファイルをプログラム起動用記録媒体に追加する追加手段とを有することを特徴とする。
【００１４】
また、本発明は、複数の記録媒体を挿抜可能なスロットを有し、前記スロットの１つに挿入されたプログラム追加用記録媒体を用いて前記スロットの他の１つに挿入されているプログラム起動用記録媒体にプログラムを追加する為に、前記スロットへのプログラム追加用記録媒体の挿入を判定する判定手段と、前記スロットへのプログラム追加用記録媒体の挿入があったと判定すると、プログラム起動用記録媒体の識別情報を取得して前記プログラム起動用記録媒体にプログラムを追加するためのファイルの一部を作成するサーバに送信する一方、前記プログラム起動用記録媒体にプログラムを追加するためのファイルの一部を前記サーバから受信すると、前記プログラム起動用記録媒体から前記プログラム起動用記録媒体にプログラムを追加するためのファイルの一部を読み出し、前記サーバ又はプログラム起動用記録媒体から取得したファイルの認証チェックの結果に応じて、前記取得したファイルをプログラム起動用記録媒体に追加する追加手段とを有することを特徴とする。
【００１５】
本発明によれば、プログラム起動用記録媒体にプログラムを追加するためのプログラム追加用記録媒体を、そのプログラム追加用記録媒体に対応する一のプログラム起動用記録媒体でしか利用できないように作成できるので、複数のプログラム起動用記録媒体にプログラムが不正に追加されることを防止し、挿抜可能なプログラム追加用記録媒体に記録されたプログラムの安全性を確保しつつ、極めて容易にプログラム追加用記録媒体からプログラム起動用記録媒体にプログラムを追加できる。
【００１６】
【発明の実施の形態】
次に、本発明の実施の形態について図面に基づいて説明する。
【００１７】
図１は、本発明による情報処理装置の一実施例の構成図である。情報処理装置１は、ソフトウェア群２と，起動部３と，ハードウェア資源４とを含むように構成される。
【００１８】
起動部３は情報処理装置１の電源投入時に最初に実行され、後述するプログラム起動部を起動する。このプログラム起動部は、情報処理装置１のソフトウェア群２を起動する。例えば起動部３のプログラム起動部は、ＳＤカードチェック部１１，プログラム追加部１２，システム制御部１３，アプリ１４−１〜１４−ｎのプログラムを補助記憶装置やＳＤカード等から読み出し、読み出した各プログラムをメモリ装置に転送して起動する。
【００１９】
ハードウェア資源４は、入力装置，表示装置，補助記憶装置，メモリ装置，インターフェース装置，ＳＤカード用スロット等のハードウェアリソースを含む。また、ソフトウェア群２は、ＵＮＩＸ（登録商標）などのＯＳ上に起動されているＳＤカードチェック部１１，プログラム追加部１２，システム制御部１３，アプリ１４−１〜１４−ｎのプログラムを含む。ＯＳは、ＳＤカードチェック部１１，プログラム追加部１２，システム制御部１３，アプリ１４−１〜１４−ｎのプログラムをプロセスとして並列制御する。
【００２０】
ＡＰＩ（Ａｐｐｌｉｃａｔｉｏｎ  Ｐｒｏｇｒａｍ  Ｉｎｔｅｒｆａｃｅ  ）１５は、予め定義されている関数によりアプリ１４−１〜１４−ｎからの要求を受信するために利用される。エンジンＩ／Ｆ１６は、予め定義されている関数によりハードウェア資源４に対する要求を送信するために利用される。なお、ＳＤカードチェック部１１，プログラム追加部１２，システム制御部１３およびプログラム起動部の詳細は後述する。
【００２１】
次に、情報処理装置１のハードウェア構成について説明する。図２は、本発明による情報処理装置の一実施例のハードウェア構成図である。
【００２２】
図２の情報処理装置１は、それぞれバスＢで相互に接続されている入力装置２１，表示装置２２，補助記憶装置２３，メモリ装置２４，演算処理装置２５，インターフェース装置２６およびＳＤカード用スロット２７を有するように構成される。
【００２３】
入力装置２１はキーボード及びマウスなどで構成され、様々な操作指示を入力するために用いられる。表示装置２２は、操作に必要な各種ウインドウやデータ等を表示する。インターフェース装置２６は、情報処理装置１をネットワークに接続する為のインターフェースであり、モデムやルータ等で構成される。
【００２４】
ＳＤカード用スロット２７はＳＤカードを挿抜可能なものであり、ＳＤカードの挿入または抜き出しに応じた割り込みを後述するＳＤカードドライバに対して行う。補助記憶装置２３は、各種ファイルやデータ等を格納している。
【００２５】
ＳＤカード用スロット２７に挿入されたＳＤカードや補助記憶装置２３は、情報処理装置１に係る処理を行わせるＳＤカードチェック部１１，プログラム追加部１２，システム制御部１３，アプリ１４−１〜１４−ｎなどのプログラムを格納すると共に、そのプログラムの処理に必要な各種ファイルやデータ等を格納している。
【００２６】
メモリ装置２４は、情報処理装置１の起動時にＳＤカード用スロット２７に挿入されたＳＤカードや補助記憶装置２３からＳＤカードチェック部１１，プログラム追加部１２，システム制御部１３，アプリ１４−１〜１４−ｎなどのプログラムを読み出して格納する。そして、演算処理装置２５は、メモリ装置２４に格納されたＳＤカードチェック部１１，プログラム追加部１２，システム制御部１３，アプリ１４−１〜１４−ｎなどのプログラムに従って処理を実行する。
【００２７】
次に、本発明による情報処理装置１の応用例として融合機３１の構成について説明する。なお、本実施例では融合機３１の処理を中心に説明するが、情報処理装置１の処理も同様である。
【００２８】
図３は、本発明による融合機の一実施例の構成図である。融合機３１は、ソフトウェア群３２と，融合機起動部３３と，ハードウェア資源３４とを含むように構成される。
【００２９】
ソフトウェア群３２は、ＵＮＩＸ（登録商標）などのＯＳ上に起動されているアプリケーション層３５とプラットフォーム３６とを含む。また、ハードウェア資源３４は白黒レーザプリンタ（Ｂ＆Ｗ  ＬＰ）４１と，カラーレーザプリンタ（Ｃｏｌｏｒ  ＬＰ）４２と，スキャナやファクシミリなどのその他のハードウェアリソース４３とを含む。
【００３０】
アプリケーション層３５は、プリンタ，コピー，ファックスおよびスキャナなどの画像形成にかかるユーザサービスにそれぞれ固有の処理を行うプリンタアプリ５１と，コピーアプリ５２と，ファックスアプリ５３と，スキャナアプリ５４と，ネットファイルアプリ５５とを含む。
【００３１】
また、プラットフォーム３６は、アプリケーション層３５からの処理要求を解釈してハードウェア資源３４の獲得要求を発生するコントロールサービス層３７と、ハードウェア資源３４の管理を行ってコントロールサービス層３７からの獲得要求を調停するシステムリソースマネージャ（ＳＲＭ）６９と、ＳＲＭ６９からの獲得要求に応じてハードウェア資源３４の管理を行うハンドラ層３８とを含む。
【００３２】
コントロールサービス層３７は、ネットワークコントロールサービス（ＮＣＳ）６１，デリバリーコントロールサービス（ＤＣＳ）６２，オペレーションパネルコントロールサービス（ＯＣＳ）６３，ファックスコントロールサービス（ＦＣＳ）６４，エンジンコントロールサービス（ＥＣＳ）６５，メモリコントロールサービス（ＭＣＳ）６６，ユーザインフォメーションコントロールサービス（ＵＣＳ）６７，システムコントロールサービス（ＳＣＳ）６８など、一つ以上のサービスモジュールを含むように構成されている。
【００３３】
なお、プラットフォーム３６はＡＰＩ８１を有するように構成されている。ＯＳは、アプリケーション層３５およびプラットフォーム３６の各ソフトウェアをプロセスとして並列実行する。
【００３４】
ＮＣＳ６１のプロセスは、ネットワーク側から各プロトコルによって受信したデータを各アプリケーションに振り分けたり、各アプリケーションからのデータをネットワーク側に送信する際の仲介を行う。例えばＮＣＳ６１は、融合機３１にネットワークを介して接続されるクライアントとのデータ通信を制御する。
【００３５】
ＤＣＳ６２のプロセスは、融合機に蓄積されている文書データの配送などの制御を行う。ＯＣＳ６３のプロセスは、オペレータと本体制御との間の情報伝達手段となるオペレーションパネルの制御を行う。
【００３６】
ＦＣＳ６４のプロセスは、アプリケーション層３５からＰＳＴＮまたはＩＳＤＮ網を利用したファックス送受信，バックアップ用のメモリで管理されている各種ファックスデータの登録／引用，ファックス読み取り，ファックス受信印刷などを行うためのＡＰＩを提供する。
【００３７】
ＥＣＳ６５のプロセスは、白黒レーザプリンタ４１，カラーレーザプリンタ４２，ハードウェアリソース４３などのエンジン部の制御を行う。ＭＣＳ６６のプロセスは、メモリの取得および解放，ＨＤＤの利用，画像データの圧縮および伸張などのメモリ制御を行う。ＵＣＳ６７のプロセスは、ユーザ情報の管理を行うものである。
【００３８】
ＳＣＳ６８のプロセスは、アプリケーション管理，操作部制御，システム画面表示，ＬＥＤ表示，ハードウェア資源管理，割り込みアプリケーション制御などの処理を行う。
【００３９】
ＳＲＭ６９のプロセスは、ＳＣＳ６８と共にシステムの制御およびハードウェア資源３４の管理を行うものである。例えばＳＲＭ６９のプロセスは、ハードウェア資源３４を利用する上位層からの獲得要求に従って調停を行い、実行制御する。
【００４０】
具体的に、ＳＲＭ６９のプロセスは獲得要求されたハードウェア資源３４が利用可能であるか（他の獲得要求により利用されていないかどうか）を判定し、利用可能であれば獲得要求されたハードウェア資源３４が利用可能である旨を上位層に通知する。
【００４１】
また、ＳＲＭ６９のプロセスは上位層からの獲得要求に対してハードウェア資源３４を利用するためのスケジューリングを行い、要求内容（例えば、プリンタエンジンによる紙搬送と作像動作，メモリ確保，ファイル生成など）を直接実施している。
【００４２】
ハンドラ層３８は、後述するファックスコントロールユニット（ＦＣＵ）の管理を行うファックスコントロールユニットハンドラ（ＦＣＵＨ）７０と、プロセスに対するメモリ領域の割り振り及びプロセスに割り振ったメモリ領域の管理を行うイメージメモリハンドラ（ＩＭＨ）７１とを含む。ＳＲＭ６９およびＦＣＵＨ７０は、エンジンＩ／Ｆ８２を利用して、ハードウェア資源３４に対する処理要求を行う。図３の構成により、融合機３１は各アプリケーションで共通的に必要な処理をプラットフォーム３６で一元的に処理することができる。
【００４３】
次に、融合機３１のハードウェア構成について説明する。図４は、本発明による融合機の一実施例のハードウェア構成図である。
【００４４】
融合機３１は、コントローラ１００と，オペレーションパネル１２０と，ＦＣＵ１２１と，エンジン部１２２とを含む。コントローラ１００は、ＣＰＵ１０１と，システムメモリ１０２と，ノースブリッジ（ＮＢ）１０３と，サウスブリッジ（ＳＢ）１０４と，ＡＳＩＣ１０６と，ローカルメモリ１０７と，ＨＤＤ１０８と、ネットワークインターフェースカード（ＮＩＣ）１０９と，ＳＤカード用スロット１１０と，ＵＳＢデバイス１１１と，ＩＥＥＥ１３９４デバイス１１２と，セントロニクス１１３とを含む。
【００４５】
オペレーションパネル１２０は、コントローラ１００のＡＳＩＣ１０６に接続されている。また、ＦＣＵ１２１およびエンジン部１２２は、コントローラ１００のＡＳＩＣ１０６にＰＣＩバス１２３で接続されている。
【００４６】
コントローラ１００は、ＡＳＩＣ１０６にローカルメモリ１０７，ＨＤＤ１０８などが接続されると共に、ＣＰＵ１０１とＡＳＩＣ１０６とがＣＰＵチップセットのＮＢ１０３を介して接続されている。コントローラ１００は、ＮＢ１０３を介してＣＰＵ１０１とＡＳＩＣ１０６とを接続することにより、ＣＰＵ１０１のインターフェースが公開されていない場合に対応する。なお、ＡＳＩＣ１０６とＮＢ１０３とはＡＧＰ（Ａｃｃｅｌｅｒａｔｅｄ  Ｇｒａｐｈｉｃｓ  Ｐｏｒｔ  ）１０５を介して接続されている。
【００４７】
このように、図３のアプリケーション層３５やプラットフォーム３６を形成する一つ以上のプロセスを実行制御するため、ＡＳＩＣ１０６とＮＢ１０３とを低速のＰＣＩバスでなくＡＧＰ１０５を介して接続し、パフォーマンスの低下を防いでいる。
【００４８】
ＣＰＵ１０１は、融合機３１の全体制御を行うものである。例えばＣＰＵ１０１は、ＮＣＳ６１，ＤＣＳ６２，ＯＣＳ６３，ＦＣＳ６４，ＥＣＳ６５，ＭＣＳ６６，ＵＣＳ６７，ＳＣＳ６８，ＳＲＭ６９，ＦＣＵＨ７０およびＩＭＨ７１をＯＳ上にそれぞれプロセスとして起動して実行させると共に、アプリケーション層３５を形成するプリンタアプリ５１，コピーアプリ５２，ファックスアプリ５３，スキャナアプリ５４，ネットファイルアプリ５５を起動して実行させる。
【００４９】
ＮＢ１０３は、ＣＰＵ１０１，システムメモリ１０２，ＳＢ１０４，ＡＳＩＣ１０６，ＮＩＣ１０９，ＳＤカード用スロット１１０，ＵＳＢデバイス１１１，ＩＥＥＥ１３９４デバイス１１２およびセントロニクス１１３を接続するためのブリッジである。
【００５０】
ＳＢ１０４，ＮＩＣ１０９，ＳＤカード用スロット１１０，ＵＳＢデバイス１１１，ＩＥＥＥ１３９４デバイス１１２およびセントロニクス１１３は、ＰＣＩバス１１４を介してＮＢ１０３に接続されている。なお、ＳＢ１０４は、ＰＣＩバス１１４とＲＯＭや周辺デバイス等とを接続するためのブリッジである。
【００５１】
システムメモリ１０２は、融合機３１の描画用メモリなどとして用いるメモリである。ローカルメモリ１０７はコピー用画像バッファ，符号バッファとして用いるメモリである。
【００５２】
ＡＳＩＣ１０６は、画像処理用のハードウェア要素を有する画像処理用途向けのＩＣである。ＨＤＤ１０８は、画像データの蓄積，文書データの蓄積，プログラムの蓄積，フォントデータの蓄積，フォームの蓄積などを行うストレージ（補助記憶装置）の一例である。
【００５３】
ＮＩＣ１０９は、融合機３１をネットワークに接続するインターフェース機器である。ＳＤカード用スロット１１０はＳＤカードを挿抜可能なものであり、ＳＤカードの挿入または抜き出しに応じた割り込みを後述するＳＤカードドライバに対して行う。ＵＳＢデバイス１１１，ＩＥＥＥ１３９４デバイス１１２およびセントロニクス１１３は、夫々の規格に準じたインターフェースである。
【００５４】
また、オペレーションパネル１２０は、オペレータからの入力操作を受け付けると共に、オペレータに向けた表示を行う操作部である。なお、ＦＣＵ１２１はメモリを有している。ＦＣＵ１２１が有するメモリは、例えば融合機３１の電源がＯＦＦのときに受信したファクシミリデータを一時的に格納するために利用される。
【００５５】
図３の融合機起動部３３は、融合機１の電源投入時に最初に実行され、アプリケーション層３５やプラットフォーム３６を起動するものである。図５は、融合機起動部の一例の構成図を示す。融合機起動部３３は、ＲＯＭモニタ１３０およびプログラム起動部１３１を有する。
【００５６】
ＢＩＯＳおよびブートローダとしてのＲＯＭモニタ１３０は電源投入時に実行されるものであり、ハードウェアの初期化，コントローラ１００の診断，ソフトウェアの初期化などを行う。ＲＯＭモニタ１３０は、ＯＳおよびルートファイルシステムをシステムメモリ１０２上に展開してＯＳを起動する。そして、ＯＳはルートファイルシステムをマウントする。
【００５７】
プログラム起動部１３１は、ＯＳから呼び出されるものであり、システムメモリ１０２，ローカルメモリ１０７上にメモリ領域を確保する。プログラム起動部１３１は、融合機１で最初に起動されるプロセスであって、所定の設定ファイルに従ってファイルシステムをマウントする。
【００５８】
プログラム起動部１３１は、融合機３１の動作に必要なアプリケーション層３５およびプラットフォーム３６のプログラムを所定の設定ファイルに従ってＨＤＤ１０８，ＳＤカード，ＲＯＭなどから読み出し、読み出した各プログラムをシステムメモリ１０２，ローカルメモリ１０７上に確保したメモリ領域に展開してアプリケーション層３５およびプラットフォーム３６のプロセスを起動するものである。
【００５９】
更に、プログラム起動部１３１の処理について説明する。プログラム起動部１３１は、起動時に所定のマスタ設定ファイルを読み込み、読み込んだマスタ設定ファイルに従ってファイルシステムのマウントおよびプロセスの起動を行う。また、プログラム起動部１３１は、読み込んだマスタ設定ファイルにマウントの記述が存在した場合、そのマウントの記述に従ってマウント処理を実行する。
【００６０】
さらに、プログラム起動部１３１はマウントしたファイルシステムのルートに所定の設定ファイルが存在する場合やマウントしたファイルシステムのルートに所定の拡張子のファイルを含む所定のディレクトリが存在する場合に、所定の設定ファイル又は所定の拡張子のファイルを読み込んでファイルシステムのマウント処理を行う。
【００６１】
なお、プログラム起動部１３１がマウントできるファイルシステムは、「ｇｚｒｏｍｆｓ」などがある。このファイルシステム「ｇｚｒｏｍｆｓ」は、ｇｚｉｐ圧縮されたＲＯＭＦＳ形式のファイルをＲＡＭ上に展開してマウントする。
【００６２】
以下、プログラム追加用モジュールを用いてプログラム起動用記録媒体としてのアプリ起動用ＳＤカードにプログラムを追加する実施例について図面を参照しつつ説明していく。
【００６３】
（第１実施例）
本発明による第１実施例のプログラム追加方法は、プログラム追加用記録媒体としてのアプリ追加用ＳＤカードを利用して、アプリ起動用ＳＤカードにプログラムを追加する例である。
【００６４】
図６は、本発明による第１実施例のプログラム追加方法について説明する一例の概略図である。融合機３１は、ＳＤカード用スロット１１０の１つに挿入されているアプリ起動用ＳＤカード１４１を有している。
【００６５】
ステップＳ１００では、融合機３１のＳＤカード用スロット１１０の他の１つにアプリ追加用ＳＤカード１４０が挿入され、アプリ追加用ＳＤカード１４０から読み出されたプログラム追加用モジュールによりプログラム追加部１３３が起動される。プログラム追加部１３３は、アプリ起動用ＳＤカード１４１のシリアルＩＤを取得し、公開鍵で暗号化しておく。
【００６６】
ステップＳ２００では、融合機３１のプログラム追加部１３３が、インターネットやＬＡＮ等のネットワーク２００を介してサーバ１５０と接続し、認証処理などの必要な手順を経てサーバ１５０との間にセッションを確立する。プログラム追加部１３３は、暗号化されたアプリ起動用ＳＤカード１４１のシリアルＩＤをサーバ１５０に送信する。
【００６７】
ステップＳ３００では、サーバ１５０からの要求に応じてプログラム追加部１３３が、機種情報およびアプリ情報をサーバ１５０に送信する。ここで、機種情報とは、融合機３１に固有の情報である。アプリ情報とは、融合機３１のアプリ起動用ＳＤカード１４１に追加するアプリの情報である。なお、プログラム追加部１３３は、機種情報およびアプリ情報をアプリ追加用ＳＤカード１４０から取得する。
【００６８】
ステップＳ４００では、サーバ１５０が、ステップＳ３００で取得した暗号化されたアプリ起動用ＳＤカード１４１のシリアルＩＤを秘密鍵で復号化し、そのアプリ起動用ＳＤカード１４１のシリアルＩＤとステップＳ３００で受信した機種情報およびアプリ情報とを用いて、アプリ起動用ＳＤカード１４１にプログラムを追加するためのファイルを作成する。
【００６９】
ステップＳ５００では、サーバ１５０が、ステップＳ４００で作成したアプリ起動用ＳＤカード１４１にプログラムを追加するためのファイルをネットワーク２００を介して融合機３１のプログラム追加部１３３に送信する。ステップＳ６００では、プログラム追加部１３３が、融合機３１のアプリ起動用ＳＤカード１４１にプログラムを追加するためのファイルについて、後述するような認証チェックを行う。
【００７０】
認証チェックがＯＫであれば、プログラム追加部１３３はステップＳ７００の処理を行う。ステップＳ７００では、プログラム追加部１３３が、ステップＳ５００で受信したアプリ起動用ＳＤカード１４１にプログラムを追加するためのファイルを用いて、アプリ起動用ＳＤカード１４１にプログラムを追加する。
【００７１】
次に、図６の処理について詳細に説明する。図７は、ステップＳ１００の処理の一例の説明図である。なお、図７の説明図では融合機３１の構成のうち説明に必要な構成を表し、説明に必要のない構成を省略している。
【００７２】
ステップＳ１０１では、融合機３１のＳＤカード用スロット１１０にアプリ追加用ＳＤカード１４０が挿入される。ＳＤカード用スロット１１０は、アプリ追加用ＳＤカード１４０の挿入に応じた割り込みをＳＤカードドライバ１３７に対して行う。
【００７３】
ステップＳ１０２では、ＯＳ１３６が、ＳＤカードドライバ１３７に対する割り込みに応じてプログラム起動部１３１にＳＤカードの挿入検知を通知する。ステップＳ１０３では、プログラム起動部１３１が、ＳＤカードチェック部１３２を起動させる。ステップＳ１０４では、ＳＤカードチェック部１３２がアプリ追加用ＳＤカード１４０のマウントを行い、アプリ追加用ＳＤカード１４０のマウントを行った旨をプログラム起動部１３１に通知して処理を停止する。
【００７４】
アプリ追加用ＳＤカード１４０のマウントを行った旨が通知されると、ステップＳ１０５に進み、プログラム起動部１３１は電子認証チェック用ライブラリ１３４を用いてアプリ追加用ＳＤカード１４０の認証チェックを行う。
【００７５】
ステップＳ１０５での認証チェックは、例えば図８に表した設定ファイルの認証チェックと図１０に表したマウント対象モジュールの認証チェックとを有している。
【００７６】
例えば設定ファイルの認証チェックは、図８に表したフローチャートのように行われる。図８は、設定ファイルの認証チェックの処理の一例のフローチャートである。
【００７７】
ステップＳ８００では、プログラム起動部１３１が、アプリ追加用ＳＤカード１４０に設定ファイルの認証チェックに利用する対象ファイルが存在するか否かを判定する。設定ファイルの認証チェックに利用する対象ファイルは、設定ファイルと、設定ファイルおよびアプリ追加用ＳＤカード１４０のシリアルＩＤのメッセージダイジェスト（以下、ＭＤという）から作成された電子署名ファイルとを含む。
【００７８】
図９は、アプリ追加用ＳＤカードに記録された対象ファイルの一例のイメージ図である。図９の例では、「ｉｎｓｔ．ｃｎｆ」が設定ファイルを表し、「ｉｎｓｔ．ｌｉｃ」が設定ファイルの認証チェックに利用する電子署名ファイルを表し、「ｉｎｓｔ．ｍｏｄ」がマウント対象のモジュールファイルを表し、「ｉｎｓｔ．ｍａｃ」がマウント対象モジュールの認証チェックに利用する電子署名ファイルを表す。
【００７９】
設定ファイルの認証チェックに利用する対象ファイルが存在すると判定すると（Ｓ８００においてＹＥＳ）、プログラム起動部１３１はアプリ追加用ＳＤカード１４０から設定ファイルおよび設定ファイルの認証チェックに利用する電子署名ファイルを取得してステップＳ８０１に進む。
【００８０】
ステップＳ８０１では、プログラム起動部１３１が、アプリ追加用ＳＤカード１４０からシリアルＩＤを取得する。ステップＳ８０３に進み、プログラム起動部１３１はステップＳ８００で取得した設定ファイルと、ステップＳ８０１で取得したアプリ追加用ＳＤカード１４０のシリアルＩＤとのＭＤ１を作成する。ステップＳ８０３に進み、プログラム起動部１３１はステップＳ８００で取得した電子署名ファイルを公開鍵で復号化してＭＤ２を作成する。
【００８１】
ステップＳ８０４に進み、プログラム起動部１３１はＭＤ１とＭＤ２とが等しいか否かを判定する。ＭＤ１とＭＤ２とが等しいと判定すると（Ｓ８０４においてＹＥＳ）、プログラム起動部１３１はステップＳ８０５に進み、設定ファイルの認証チェックがＯＫと判定する。一方、ＭＤ１とＭＤ２とが等しくないと判定すると（Ｓ８０４においてＮＯ）、プログラム起動部１３１はステップＳ８０６に進み、設定ファイルの認証チェックがＮＧと判定する。
【００８２】
ＭＤ１とＭＤ２とが等しくなければ、アプリ追加用ＳＤカード１４０に記録されているファイルは不正にコピーされた可能性が高いためである。なお、設定ファイルの認証チェックに利用する対象ファイルが存在しないと判定すると（Ｓ８００においてＮＯ）、プログラム起動部１３１はステップＳ８０６に進み、設定ファイルの認証チェックがＮＧと判定する。
【００８３】
例えばマウント対象モジュールの認証チェックは、図１０に表したフローチャートのように行われる。図１０は、マウント対象モジュールの認証チェックの処理の一例のフローチャートである。
【００８４】
ステップＳ８１０では、プログラム起動部１３１が、アプリ追加用ＳＤカード１４０にマウント対象モジュールの認証チェックに利用する対象ファイルが存在するか否かを判定する。マウント対象モジュールの認証チェックに利用する対象ファイルは、マウント対象のモジュールファイルと、モジュールファイルおよび融合機３１に固有の機種情報のＭＤから作成された電子署名ファイルとを含む。
【００８５】
マウント対象モジュールの認証チェックに利用する対象ファイルが存在すると判定すると（Ｓ８１０においてＹＥＳ）、プログラム起動部１３１はアプリ追加用ＳＤカード１４０からマウント対象のモジュールファイルおよびマウント対象のモジュールファイルの認証チェックに利用する電子署名ファイルを取得してステップＳ８１１に進む。
【００８６】
ステップＳ８１１では、プログラム起動部１３１が、融合機３１に固有の機種情報を取得する。ステップＳ８１２に進み、プログラム起動部１３１はステップＳ８１０で取得したモジュールファイルと、ステップＳ８１１で取得した融合機３１に固有の機種情報とのＭＤ１を作成する。ステップＳ８１３に進み、プログラム起動部１３１はステップＳ８１０で取得した電子署名ファイルを公開鍵で復号化してＭＤ２を作成する。
【００８７】
ステップＳ８１４に進み、プログラム起動部１３１はＭＤ１とＭＤ２とが等しいか否かを判定する。ＭＤ１とＭＤ２とが等しいと判定すると（Ｓ８１４においてＹＥＳ）、プログラム起動部１３１はステップＳ８１５に進み、マウント対象モジュールの認証チェックがＯＫと判定する。
【００８８】
一方、ＭＤ１とＭＤ２とが等しくないと判定すると（Ｓ８１４においてＮＯ）、プログラム起動部１３１はステップＳ８１６に進み、マウント対象モジュールの認証チェックがＮＧと判定する。
【００８９】
ＭＤ１とＭＤ２とが等しくなければ、アプリ追加用ＳＤカード１４０に記録されているファイルはコピーや改竄などの不正を受けた可能性が高いためである。なお、マウント対象モジュールの認証チェックに利用する対象ファイルが存在しないと判定すると（Ｓ８１０においてＮＯ）、プログラム起動部１３１はステップＳ８１６に進み、マウント対象モジュールの認証チェックがＮＧと判定する。
【００９０】
図７に戻り、プログラム起動部１３１はアプリ追加用ＳＤカード１４０の認証チェックがＯＫであればステップＳ１０６に進み、ＮＧであればイベント待ち状態に戻る。
【００９１】
ステップＳ１０６では、プログラム起動部１３１が、アプリ追加用ＳＤカード１４０内のプログラム追加モジュールを利用してプログラム追加部１３３を起動させる。
【００９２】
ステップＳ１０７では、プログラム追加部１３３が、アプリ起動用ＳＤカード１４１のシリアルＩＤをアプリ起動用ＳＤカード１４１から取得する。プログラム追加部１３３は、取得したアプリ起動用ＳＤカード１４１のシリアルＩＤを公開鍵で暗号化する。
【００９３】
ステップＳ１０８では、プログラム追加部１３３が、暗号化されたアプリ起動用ＳＤカード１４１のシリアルＩＤを、ＮＣＳ６１及びネットワーク２００を介してサーバ１５０に送信する。図７の処理によれば、暗号化されたアプリ起動用ＳＤカード１４１のシリアルＩＤを、サーバ１５０に送信できる。
【００９４】
図１１は、ステップＳ４００の処理の一例の説明図である。暗号化されたアプリ起動用ＳＤカード１４１のシリアルＩＤ１５２は、ステップＳ２００の処理で融合機３１から受信したものである。また、機種情報１５３およびアプリ情報１５４は、ステップＳ３００の処理で融合機３１から受信したものである。
【００９５】
ステップＳ４０１では、サーバ１５０が、暗号化されたシリアルＩＤ１５２を秘密鍵で復号化する。また、ステップＳ４０２では、サーバ１５０が、機種情報１５３およびアプリ情報１５４に対応した設定ファイル「ａｐｌ．ｃｎｆ」，マウント対象のモジュール「ａｐｌ．ｍｏｄ」およびマウント対象モジュールの認証チェックに利用する電子署名ファイル「ａｐｌ．ｍａｃ」の群１５５を選択する。
【００９６】
ステップＳ４０３では、サーバ１５０が、ステップＳ４０２で選択された群１５５から設定ファイル「ａｐｌ．ｃｎｆ」１５７を読み出す。そして、ステップＳ４０４では、サーバ１５０が、復号化されたアプリ起動用ＳＤカード１４１のシリアルＩＤ１５６及びステップＳ４０３で読み出された設定ファイル１５７からＭＤ１５８を作成する。
【００９７】
ステップＳ４０５では、サーバ１５０が、ステップＳ４０４で作成したＭＤ１５８を秘密鍵で暗号化して、設定ファイルの認証チェックに利用する電子署名ファイル「ａｐｌ．ｌｉｃ」１５９を作成する。ステップＳ４０６では、サーバ１５０が、ステップＳ４０５で作成した電子署名ファイル１５９を群１５５に追加した新たな群１６０を作成する。
【００９８】
ステップＳ４０６で作成された群１６０は、ステップＳ５００の処理で融合機３１に送信される。図１１の処理によれば、アプリ起動用ＳＤカード１４１にプログラムを追加するためのファイルを、融合機３１に送信できる。
【００９９】
図１２は、ステップＳ６００の処理の一例の説明図である。なお、図１２の説明図では融合機３１の構成のうち説明に必要な構成を表し、説明に必要のない構成を適宜省略している。
【０１００】
プログラム追加部１３３は、ステップＳ５００の処理でサーバ１５０からアプリ起動用ＳＤカード１４１にプログラムを追加するためのファイルとして、設定ファイル「ａｐｌ．ｃｎｆ」，設定ファイルの認証チェックに利用する電子署名ファイル「ａｐｌ．ｌｉｃ」，マウント対象のモジュール「ａｐｌ．ｍｏｄ」およびマウント対象モジュールの認証チェックに利用する電子署名ファイル「ａｐｌ．ｍａｃ」を受信している。
【０１０１】
ステップＳ６００では、プログラム追加部１３３が、ステップＳ５００で受信した設定ファイル「ａｐｌ．ｃｎｆ」，設定ファイルの認証チェックに利用する電子署名ファイル「ａｐｌ．ｌｉｃ」，マウント対象のモジュール「ａｐｌ．ｍｏｄ」およびマウント対象モジュールの認証チェックに利用する電子署名ファイル「ａｐｌ．ｍａｃ」について、電子認証チェック用ライブラリ１３５を用いて認証チェックを行う。
【０１０２】
ステップＳ６００での認証チェックは、例えば図８に表した設定ファイルの認証チェックと図１０に表したマウント対象モジュールの認証チェックとを有している。ステップＳ５０６での認証チェックの詳細について、前述した図８および図１０を用いて説明する。
【０１０３】
図８のステップＳ８００では、プログラム追加部１３３が、ステップＳ５００で受信したファイルの中に設定ファイルの認証チェックに利用する対象ファイル、例えば設定ファイル「ａｐｌ．ｃｎｆ」，設定ファイルの認証チェックに利用する電子署名ファイル「ａｐｌ．ｌｉｃ」が存在したか否かを判定する。
【０１０４】
設定ファイル「ａｐｌ．ｃｎｆ」，設定ファイルの認証チェックに利用する電子署名ファイル「ａｐｌ．ｌｉｃ」が存在したと判定したと（Ｓ８００においてＹＥＳ）、プログラム追加部１３３はステップＳ８０１に進む。
【０１０５】
ステップＳ８０１では、プログラム追加部１３３が、アプリ追加用ＳＤカード１４０でなくアプリ起動用ＳＤカード１４１からシリアルＩＤを取得する。ステップＳ８０２に進み、プログラム追加部１３３は設定ファイル「ａｐｌ．ｃｎｆ」と、ステップＳ８０１で取得したアプリ起動用ＳＤカード１４１のシリアルＩＤとのＭＤ１を作成する。ステップＳ８０３に進み、プログラム追加部１３３は設定ファイルの認証チェックに利用する電子署名ファイル「ａｐｌ．ｌｉｃ」を公開鍵で復号化してＭＤ２を作成する。
【０１０６】
ステップＳ８０４に進み、プログラム追加部１３３はＭＤ１とＭＤ２とが等しいか否かを判定する。ＭＤ１とＭＤ２とが等しいと判定すると（Ｓ８０４においてＹＥＳ）、プログラム追加部１３３はステップＳ８０５に進み、設定ファイルの認証チェックがＯＫと判定する。一方、ＭＤ１とＭＤ２とが等しくないと判定すると（Ｓ２４においてＮＯ）、プログラム追加部１３３はステップＳ８０６に進み、設定ファイルの認証チェックがＮＧと判定する。
【０１０７】
ＭＤ１とＭＤ２とが等しくなければ、ステップＳ５００でサーバ１５０から受信したファイルは、ステップＳ８０１でシリアルＩＤを取得したアプリ起動用ＳＤカード１４１でなく、他のアプリ起動用ＳＤカードにプログラムを追加するために作成された可能性が高いためである。
【０１０８】
なお、設定ファイルの認証チェックに利用する設定ファイル「ａｐｌ．ｃｎｆ」，電子署名ファイル「ａｐｌ．ｌｉｃ」が存在しないと判定すると（Ｓ８００においてＮＯ）、プログラム追加部１３３はステップＳ８０６に進み、設定ファイルの認証チェックがＮＧと判定する。
【０１０９】
図１０のステップＳ８１０では、プログラム追加部１３３が、ステップＳ５００で受信したファイルの中にマウント対象モジュールの認証チェックに利用する対象ファイル、例えばマウント対象のモジュール「ａｐｌ．ｍｏｄ」，マウント対象モジュールの認証チェックに利用する電子署名ファイル「ａｐｌ．ｍａｃ」が存在したか否かを判定する。
【０１１０】
マウント対象のモジュール「ａｐｌ．ｍｏｄ」，マウント対象モジュールの認証チェックに利用する電子署名ファイル「ａｐｌ．ｍａｃ」が存在したと判定すると（Ｓ８１０においてＹＥＳ）、プログラム追加部１３３はステップＳ８１１に進む。ステップＳ８１１では、プログラム追加部１３３が、融合機３１に固有の機種情報を取得する。ステップＳ８１２に進み、プログラム追加部１３３はマウント対象のモジュール「ａｐｌ．ｍｏｄ」と、ステップＳ８１１で取得した融合機３１に固有の機種情報とのＭＤ１を作成する。
【０１１１】
ステップＳ８１３に進み、プログラム追加部１３３はマウント対象モジュールの認証チェックに利用する電子署名ファイル「ａｐｌ．ｍａｃ」を公開鍵で復号化してＭＤ２を作成する。
【０１１２】
ステップＳ８１４に進み、プログラム追加部１３３はＭＤ１とＭＤ２とが等しいか否かを判定する。ＭＤ１とＭＤ２とが等しいと判定すると（Ｓ８１４においてＹＥＳ）、プログラム追加部１３３はステップＳ８１５に進み、マウント対象モジュールの認証チェックがＯＫと判定する。一方、ＭＤ１とＭＤ２とが等しくないと判定すると（Ｓ８１４においてＮＯ）、プログラム追加部１３３はステップＳ８１６に進み、マウント対象モジュールの認証チェックがＮＧと判定する。
【０１１３】
ＭＤ１とＭＤ２とが等しくなければ、ステップＳ５００でサーバ１５０から受信したファイルは、ステップＳ８１１で固有の機種情報を取得した融合機３１でなく、他の融合機にプログラムを追加するために作成された可能性が高いためである。
【０１１４】
なお、マウント対象モジュールの認証チェックに利用する設定ファイル「ａｐｌ．ｃｎｆ」，電子署名ファイル「ａｐｌ．ｌｉｃ」が存在しないと判定すると（Ｓ８１０においてＮＯ）、プログラム追加部１３３はステップＳ８１６に進み、マウント対象モジュールの認証チェックがＮＧと判定する。
【０１１５】
図１２に戻り、プログラム追加部１３３はステップＳ６００の認証チェックがＯＫであればステップＳ７００に進み、ＮＧであればイベント待ち状態に戻る。ステップＳ７００では、プログラム追加部１３３が、ステップＳ５００で受信した設定ファイル「ａｐｌ．ｃｎｆ」，設定ファイルの認証チェックに利用する電子署名ファイル「ａｐｌ．ｌｉｃ」，マウント対象のモジュール「ａｐｌ．ｍｏｄ」およびマウント対象モジュールの認証チェックに利用する電子署名ファイル「ａｐｌ．ｍａｃ」を用いて、アプリ起動用ＳＤカード１４１にプログラムを追加する。
【０１１６】
図１２の処理によれば、設定ファイル「ａｐｌ．ｃｎｆ」，設定ファイルの認証チェックに利用する電子署名ファイル「ａｐｌ．ｌｉｃ」，マウント対象のモジュール「ａｐｌ．ｍｏｄ」およびマウント対象モジュールの認証チェックに利用する電子署名ファイル「ａｐｌ．ｍａｃ」が書き込まれた図１３のようなアプリ起動用カード１４１を作成できる。
【０１１７】
図１３は、プログラムを追加されたアプリ起動用ＳＤカードの一例のイメージ図である。図１３の例では、ディレクトリ「ｉｎｉｔ．ｄ」の下の「ａｐｌ．ｃｎｆ」が設定ファイルを表し，「ａｐｌ．ｌｉｃ」が設定ファイルの認証チェックに利用する電子署名ファイルを表す。また、ディレクトリ「ｍｏｄｕｌｅ」の下の「ａｐｌ．ｍｏｄ」がマウント対象のモジュールを表し、「ａｐｌ．ｍａｃ」がマウント対象モジュールの認証チェックに利用する電子署名ファイルを表している。
【０１１８】
（第２実施例）
本発明による第２実施例のプログラム追加方法は、プログラム追加用記録媒体としてのアプリ追加用ＳＤカード１４０を利用して、アプリ起動用ＳＤカード１４１にプログラムを追加する例である。なお、第２実施例のプログラム追加方法は、アプリ追加用ＳＤカード１４０に記録されているファイルが第１実施例のプログラム追加方法と異なる。
【０１１９】
図１４は、第２実施例のプログラム追加方法で用いるアプリ追加用ＳＤカードの一例のイメージ図である。図１４の例では、「ｉｎｓｔ．ｃｎｆ」がプログラム追加用モジュールの設定ファイルを表し、「ｉｎｓｔ．ｌｉｃ」が設定ファイルの認証チェックに利用する電子署名ファイルを表し、「ｉｎｓｔ．ｍｏｄ」がマウント対象のプログラム追加用モジュールを表し、「ｉｎｓｔ．ｍａｃ」がプログラム追加用モジュールの認証チェックに利用する電子署名ファイルを表し、「ａｐｌ．ｃｎｆ」がアプリ起動用ＳＤカード１４１に追加するプログラムの設定ファイルを表し，「ａｐｌ．ｌｉｃ」が設定ファイルの認証チェックに利用する電子署名ファイルを表し，「ａｐｌ．ｍｏｄ」がマウント対象のモジュールを表し、「ａｐｌ．ｍａｃ」がマウント対象モジュールの認証チェックに利用する電子署名ファイルを表している。
【０１２０】
図１５は、本発明による第２実施例のプログラム追加方法について説明する一例の概略図である。融合機３１は、ＳＤカード用スロット１１０の１つに挿入されているアプリ起動用ＳＤカード１４１を有している。
【０１２１】
ステップＳ１００〜Ｓ３００の処理は、図６のステップＳ１００〜Ｓ３００の処理と同様であるため説明を省略する。ステップＳ４００に進み、サーバ１５０はステップＳ３００で取得した暗号化されたアプリ起動用ＳＤカード１４１のシリアルＩＤを秘密鍵で復号化し、そのアプリ起動用ＳＤカード１４１のシリアルＩＤとステップＳ３００で受信した機種情報およびアプリ情報とを用いて、アプリ起動用ＳＤカード１４１に設定ファイル「ａｐｌ．ｃｎｆ」の認証チェックに利用する電子署名ファイル「ａｐｌ．ｌｉｃ」を作成する。
【０１２２】
ステップＳ５００では、サーバ１５０が、ステップＳ４００で作成した電子署名ファイル「ａｐｌ．ｌｉｃ」をネットワーク２００を介して融合機３１のプログラム追加部１３３に送信する。ステップＳ５１０では、プログラム追加部１３３が、アプリ追加用ＳＤカード１４０から設定ファイル「ａｐｌ．ｃｎｆ」，マウント対象のモジュール「ａｐｌ．ｍｏｄ」，マウント対象のモジュール「ａｐｌ．ｍｏｄ」の認証チェックに利用する電子署名ファイル「ａｐｌ．ｍａｃ」を読み出す。
【０１２３】
ステップＳ６００では、プログラム追加部１３３が、ステップＳ５００およびＳ５１０で取得した融合機３１のアプリ起動用ＳＤカード１４１にプログラムを追加するためのファイルについて前述したような認証チェックを行う。
【０１２４】
認証チェックがＯＫであれば、プログラム追加部１３３はステップＳ７００の処理を行う。ステップＳ７００では、プログラム追加部１３３が、アプリ追加用ＳＤカード１４０に記録されていた設定ファイル「ａｐｌ．ｃｎｆ」，マウント対象のモジュール「ａｐｌ．ｍｏｄ」，マウント対象のモジュール「ａｐｌ．ｍｏｄ」の認証チェックに利用する電子署名ファイル「ａｐｌ．ｍａｃ」と、ステップＳ５００で受信した設定ファイル「ａｐｌ．ｃｎｆ」の認証チェックに利用する電子署名ファイル「ａｐｌ．ｌｉｃ」とを用いて、アプリ起動用ＳＤカード１４１にプログラムを追加する。
【０１２５】
図１５の処理によれば、図６の処理と比べてサーバ１５０から融合機３１へのダウンロード負荷を軽減できる。次に、図１５の処理のうち、図６と異なる処理を中心に詳細に説明する。
【０１２６】
図１６は、ステップＳ４００の処理の他の一例の説明図である。暗号化されたアプリ起動用ＳＤカード１４１のシリアルＩＤ１５２は、ステップＳ２００の処理で融合機３１から受信したものである。また、機種情報１５３およびアプリ情報１５４は、ステップＳ３００の処理で融合機３１から受信したものである。
【０１２７】
ステップＳ４０１では、サーバ１５０が、暗号化されたシリアルＩＤ１５２を秘密鍵で復号化する。また、ステップＳ４０２では、サーバ１５０が、機種情報１５３およびアプリ情報１５４に対応した設定ファイル「ａｐｌ．ｃｎｆ」１５７を選択する。
【０１２８】
ステップＳ４０３では、サーバ１５０が、ステップＳ４０２で選択された設定ファイル「ａｐｌ．ｃｎｆ」１５７を読み出す。ステップＳ４０４では、サーバ１５０が、復号化されたアプリ起動用ＳＤカード１４１のシリアルＩＤ１５６及びステップＳ４０３で読み出された設定ファイル１５７からＭＤ１５８を作成する。
【０１２９】
ステップＳ４０５では、サーバ１５０が、ステップＳ４０４で作成したＭＤ１５８を秘密鍵で暗号化して、設定ファイルの認証チェックに利用する電子署名ファイル「ａｐｌ．ｌｉｃ」１５９を作成する。ステップＳ４０５で作成された電子署名ファイル「ａｐｌ．ｌｉｃ」１５９は、ステップＳ５００の処理で融合機３１に送信される。図１６の処理によれば、電子署名ファイル「ａｐｌ．ｌｉｃ」１５９を、融合機３１に送信できる。
【０１３０】
図１７は、ステップＳ６００の処理の他の一例の説明図である。なお、図１７の説明図では融合機３１の構成のうち説明に必要な構成を表し、説明に必要のない構成を適宜省略している。
【０１３１】
プログラム追加部１３３は、ステップＳ５００の処理でサーバ１５０から電子署名ファイル「ａｐｌ．ｌｉｃ」を受信している。また、ステップＳ５１０ではプログラム追加部１３３が、アプリ追加用ＳＤカード１４０からディレクトリ「ａｄｄｍｏｄ」の下の設定ファイル「ａｐｌ．ｃｎｆ」，マウント対象のモジュール「ａｐｌ．ｍｏｄ」およびマウント対象モジュールの認証チェックに利用する電子署名ファイル「ａｐｌ．ｍａｃ」を読み出す。
【０１３２】
ステップＳ６００では、プログラム追加部１３３が、ステップＳ５００で受信した電子署名ファイル「ａｐｌ．ｌｉｃ」，ステップＳ５１０で読み出した設定ファイル「ａｐｌ．ｃｎｆ」，マウント対象のモジュール「ａｐｌ．ｍｏｄ」および電子署名ファイル「ａｐｌ．ｍａｃ」について、前述したように電子認証チェック用ライブラリ１３５を用いて認証チェックを行う。
【０１３３】
プログラム追加部１３３は、ステップＳ６００の認証チェックがＯＫであればステップＳ７００に進み、ＮＧであればイベント待ち状態に戻る。ステップＳ７００では、プログラム追加部１３３が、ステップＳ５００で受信した電子署名ファイル「ａｐｌ．ｌｉｃ」，ステップＳ５１０で読み出した設定ファイル「ａｐｌ．ｃｎｆ」，マウント対象のモジュール「ａｐｌ．ｍｏｄ」および電子署名ファイル「ａｐｌ．ｍａｃ」を用いて、アプリ起動用ＳＤカード１４１にプログラムを追加する。
【０１３４】
図１７の処理によれば、設定ファイル「ａｐｌ．ｃｎｆ」，設定ファイルの認証チェックに利用する電子署名ファイル「ａｐｌ．ｌｉｃ」，マウント対象のモジュール「ａｐｌ．ｍｏｄ」およびマウント対象モジュールの認証チェックに利用する電子署名ファイル「ａｐｌ．ｍａｃ」が書き込まれた図１３のようなアプリ起動用カード１４１を作成できる。
【０１３５】
（第３実施例）
本発明による第３実施例のプログラム追加方法は、プログラム追加用記録媒体としてのアプリ追加用ＳＤカード１４０を利用して、アプリ起動用ＳＤカード１４１にプログラムを追加する例である。なお、第３実施例のプログラム追加方法は、アプリ起動用ＳＤカード１４１に予め記録されているファイルが第１実施例のプログラム追加方法と異なる。
【０１３６】
図１８は、第３実施例のプログラム追加方法で用いるアプリ起動用ＳＤカードの一例のイメージ図である。図１８の例では、「ａｐｌ．ｃｎｆ」がアプリ起動用ＳＤカード１４１に追加するプログラムの設定ファイルを表し，「ａｐｌ．ｌｉｃ」が設定ファイルの認証チェックに利用する電子署名ファイルを表し，「ａｐｌ．ｍｏｄ」がマウント対象のモジュールを表し、「ａｐｌ．ｍａｃ」がマウント対象モジュールの認証チェックに利用する電子署名ファイルを表している。
【０１３７】
図１９は、本発明による第３実施例のプログラム追加方法について説明する一例の概略図である。融合機３１は、ＳＤカード用スロット１１０の１つに挿入されているアプリ起動用ＳＤカード１４１を有している。
【０１３８】
ステップＳ１００〜Ｓ５００の処理は、図１５のステップＳ１００〜Ｓ５００の処理と同様であるため説明を省略する。ステップＳ５２０では、プログラム追加部１３３が、アプリ起動用ＳＤカード１４１から設定ファイル「ａｐｌ．ｃｎｆ」，マウント対象のモジュール「ａｐｌ．ｍｏｄ」，電子署名ファイル「ａｐｌ．ｍａｃ」を読み出す。
【０１３９】
ステップＳ６００では、プログラム追加部１３３が、ステップＳ５００およびＳ５２０で取得した融合機３１のアプリ起動用ＳＤカード１４１にプログラムを追加するためのファイルについて前述したような認証チェックを行う。
【０１４０】
認証チェックがＯＫであれば、プログラム追加部１３３はステップＳ７００の処理を行う。ステップＳ７００では、プログラム追加部１３３が、ステップＳ５２０で読み出した設定ファイル「ａｐｌ．ｃｎｆ」，マウント対象のモジュール「ａｐｌ．ｍｏｄ」，電子署名ファイル「ａｐｌ．ｍａｃ」と、ステップＳ５００で受信した設定ファイル「ａｐｌ．ｃｎｆ」の認証チェックに利用する電子署名ファイル「ａｐｌ．ｌｉｃ」とを用いて、アプリ起動用ＳＤカード１４１にプログラムを追加する。
【０１４１】
図１９の処理によれば、図６の処理と比べてサーバ１５０から融合機３１へのダウンロード負荷を軽減できる。次に、図１９の処理のうち、図６，図１５と異なる処理を中心に詳細に説明する。
【０１４２】
図２０は、ステップＳ６００の処理の他の一例の説明図である。なお、図２０の説明図では融合機３１の構成のうち説明に必要な構成を表し、説明に必要のない構成を適宜省略している。
【０１４３】
プログラム追加部１３３は、ステップＳ５００の処理でサーバ１５０から電子署名ファイル「ａｐｌ．ｌｉｃ」を受信している。また、ステップＳ５２０ではプログラム追加部１３３が、アプリ起動用ＳＤカード１４１からディレクトリ「ａｄｄｍｏｄ」の下の設定ファイル「ａｐｌ．ｃｎｆ」，マウント対象のモジュール「ａｐｌ．ｍｏｄ」およびマウント対象モジュールの認証チェックに利用する電子署名ファイル「ａｐｌ．ｍａｃ」を読み出す。
【０１４４】
ステップＳ６００では、プログラム追加部１３３が、ステップＳ５００で受信した電子署名ファイル「ａｐｌ．ｌｉｃ」，ステップＳ５２０で読み出した設定ファイル「ａｐｌ．ｃｎｆ」，マウント対象のモジュール「ａｐｌ．ｍｏｄ」および電子署名ファイル「ａｐｌ．ｍａｃ」について、前述したように電子認証チェック用ライブラリ１３５を用いて認証チェックを行う。
【０１４５】
プログラム追加部１３３は、ステップＳ６００の認証チェックがＯＫであればステップＳ７００に進み、ＮＧであればイベント待ち状態に戻る。ステップＳ７００では、プログラム追加部１３３が、ステップＳ５００で受信した電子署名ファイル「ａｐｌ．ｌｉｃ」，ステップＳ５２０で読み出した設定ファイル「ａｐｌ．ｃｎｆ」，マウント対象のモジュール「ａｐｌ．ｍｏｄ」および電子署名ファイル「ａｐｌ．ｍａｃ」を用いて、アプリ起動用ＳＤカード１４１にプログラムを追加する。
【０１４６】
図２０の処理によれば、設定ファイル「ａｐｌ．ｃｎｆ」，設定ファイルの認証チェックに利用する電子署名ファイル「ａｐｌ．ｌｉｃ」，マウント対象のモジュール「ａｐｌ．ｍｏｄ」およびマウント対象モジュールの認証チェックに利用する電子署名ファイル「ａｐｌ．ｍａｃ」が書き込まれた図１３のようなアプリ起動用カード１４１を作成できる。
【０１４７】
前述した第１〜第３実施例では、アプリ追加用ＳＤカード１４０が融合機３１のＳＤカード用スロット１１０に挿入されることにより、本発明のプログラム追加方法に係る処理が開始されているが、オペレーションパネル１２０からの操作や、融合機３１にＵＳＢ等で直接又はネットワーク２００を介して接続されているＰＣ等からの操作などにより、本発明のプログラム追加方法に係る処理が開始されるようにしてもよい。
【０１４８】
この場合、例えばアプリ追加用ＳＤカード１４０を前述した第１〜第３実施例のように利用してもよいし、アプリ追加用ＳＤカード１４０に記録されていたファイルをネットワーク２００を介してダウンロードするようにしてもよい。
【０１４９】
さらに、アプリ追加用ＳＤカード１４０は、例えばアプリ追加用ＳＤカード１４０にファイルを記録するための所定サーバを利用して作成してもよいし、その所定サーバとの接続機能を有する装置（例えば、携帯電話，ＰＤＡなど）を利用してダウンロードしたファイルを記録することで作成してもよい。
【０１５０】
本実施例では、融合機３１の処理を中心に説明したが、図１及び図２に示した情報処理装置１への適用が容易である。また、本発明は具体的に開示された実施例に限定されるものではなく、特許請求のの範囲から逸脱することなく、種々の変形や変更が可能である。
【０１５１】
【発明の効果】
上述の如く、本発明によれば、挿抜可能なプログラム起動用記録媒体に記録されたプログラムの安全性を確保しつつ、プログラム起動用記録媒体にプログラムを追加できる。
【０１５２】
【図面の簡単な説明】
【図１】本発明による情報処理装置の一実施例の構成図である。
【図２】本発明による情報処理装置の一実施例のハードウェア構成図である。
【図３】本発明による融合機の一実施例の構成図である。
【図４】本発明による融合機の一実施例のハードウェア構成図である。
【図５】融合機起動部の一例の構成図を示す。
【図６】本発明による第１実施例のプログラム追加方法について説明する一例の概略図である。
【図７】ステップＳ１００の処理の一例の説明図である。
【図８】設定ファイルの認証チェックの処理の一例のフローチャートである。
【図９】アプリ追加用ＳＤカードに記録された対象ファイルの一例のイメージ図である。
【図１０】マウント対象モジュールの認証チェックの処理の一例のフローチャートである。
【図１１】ステップＳ４００の処理の一例の説明図である。
【図１２】ステップＳ６００の処理の一例の説明図である。
【図１３】プログラムを追加されたアプリ起動用ＳＤカードの一例のイメージ図である。
【図１４】第２実施例のプログラム追加方法で用いるアプリ追加用ＳＤカードの一例のイメージ図である。
【図１５】本発明による第２実施例のプログラム追加方法について説明する一例の概略図である。
【図１６】ステップＳ４００の処理の他の一例の説明図である。
【図１７】ステップＳ６００の処理の他の一例の説明図である。
【図１８】第３実施例のプログラム追加方法で用いるアプリ起動用ＳＤカードの一例のイメージ図である。
【図１９】本発明による第３実施例のプログラム追加方法について説明する一例の概略図である。
【図２０】ステップＳ６００の処理の他の一例の説明図である。
【符号の説明】
１    情報処理装置
２，３２    ソフトウェア群
３    起動部
４    ハードウェア資源
１１，１３２    ＳＤカードチェック部
１２，１３３    プログラム追加部
１３    システム制御部
２７，１１０    ＳＤカード用スロット
３１    融合機
３３    融合機起動部
３４    ハードウェア資源
６１    ＮＣＳ
６８    ＳＣＳ
１１０    ＳＤカード用スロット
１２０    オペレーションパネル
１３１    プログラム起動部
１３６    オペレーティングシステム（ＯＳ）
１３７    ＳＤカードドライバ
１４０    アプリ追加用ＳＤカード
１４１    アプリ起動用ＳＤカード
１５０    サーバ
【図１】
2004287839.tif 000003
【図２】
2004287839.tif 000004
【図３】
2004287839.tif 000005
【図４】
2004287839.tif 000006
【図５】
2004287839.tif 000007
【図６】
2004287839.tif 000008
【図７】
2004287839.tif 000009
【図８】
2004287839.tif 000010
【図９】
2004287839.tif 000011
【図１０】
2004287839.tif 000012
【図１１】
2004287839.tif 000013
【図１２】
2004287839.tif 000014
【図１３】
2004287839.tif 000015
【図１４】
2004287839.tif 000016
【図１５】
2004287839.tif 000017
【図１６】
2004287839.tif 000018
【図１７】
2004287839.tif 000019
【図１８】
2004287839.tif 000020
【図１９】
2004287839.tif 000021
【図２０】
2004287839.tif 000022